(57)【要約】【課題】加熱調理器と家具筐体内部の温度上昇を抑制するとともに加熱調理器の交換にも対応できる加熱調理器組み込み式家具を提供することを目的とする。【解決手段】家具筐体１に組み込んだ加熱調理器３と、家具筐体１の内部空間を上下に分割する仕切り板４と、加熱調理器側の家具筐体の内部空間に設けた送風機５とを備え、家具筐体１には冷却風を加熱調理器側の内部空間に取り入れる吸気部６を設け、加熱調理器３には本体吸気口１０と本体排気口１１とを設け、本体排気口１１から排出される冷却風を送風機５により送風処理するようにしたものである。これによって、加熱調理器と家具筐体内部を送風機５による送風処理で冷却するとともに、仕切り板４で仕切っていることで、家具筐体内部の温度上昇を低減することができる。また、加熱調理器３を別なものに交換する際に、分離板が不要であるため加熱調理器の交換にも対応できる。【選択図】図１
2009050351.tif 000002
【特許請求の範囲】
【請求項１】
家具筐体と、家具筐体の天板の開口部に組み込んだ加熱調理器と、前記加熱調理器の下方に位置して家具筐体の内部空間を上下に分割する仕切り板と、加熱調理器側の家具筐体の内部空間に設けた送風機とを備え、前記家具筐体には冷却風を加熱調理器側の内部空間に取り入れる吸気部を設け、加熱調理器には冷却風を内部に取り入れる本体吸気口とこの冷却風を排出する本体排気口とを設け、加熱調理器の本体排気口から排出される冷却風を送風機により送風処理する加熱調理器組み込み式家具。
【請求項２】
仕切り板に送風機により冷却風が送風される通気口を設け、家具筐体は仕切り板より下方位置の前板に排気部を設け、通気口と排気部は排気経路により接続し、送風機により送風される冷却風を、排気経路を通して排気部から家具筐体の外部に排出する請求項１に記載の加熱調理器組み込み式家具。
【請求項３】
家具筐体の内部後方壁面に排気部を設け、送風機により送風される冷却風を排気部より家具筐体の外部に排出する請求項１に記載の加熱調理器組み込み式家具。
【請求項４】
家具筐体の天板の後方面に排気部を設け、送風機により送風される冷却風を排気部より家具筐体の外部に排出する請求項１に記載の加熱調理器組み込み式家具。
【請求項５】
送風機による送風に対し、加熱調理器の本体吸気口を上流側に本体排気口を下流側にそれぞれ配する請求項１〜４のいずれか１項に記載の加熱調理器組み込み式家具。
【請求項６】
送風機は加熱調理器と電気的に接続され、加熱調理器に組み込まれた制御機構によって運転を制御する請求項１〜５のいずれか１項に記載の加熱調理器組み込み式家具。
【請求項７】
加熱調理器の上方に換気装置を備え、送風機は換気装置と電気的に接続され、換気装置に組み込まれた制御機構によって運転を制御する請求項１〜５のいずれか１項に記載の加熱調理器組み込み式家具。
【発明の詳細な説明】
【技術分野】
【０００１】
本発明は加熱調理器を組み込んで使用するキッチンカウンターなどの加熱調理器組み込み式家具に関するものである。
【背景技術】
【０００２】
従来、この種の家具筐体に設置された加熱調理器は、調理面あるいは家具筐体上部の天板部側面に排気口を備え、加熱調理器の本体内部の電子部品や加熱装置を冷却する冷却風をキッチンカウンター上方の空間に排出する。そのようにカウンター上面に排気口を備える場合は、異物侵入の恐れがあるため排気口カバーを設置する必要がある。その場合、キッチンの美観を損ないかねない。
【０００３】
そのため、排気口を家具筐体の内部に配し、キッチンの美観の優れたものとしている。また、家具筐体内部に吸気口と排気口を備えている加熱調理器の場合は、排気の熱風を吸気口から再度吸引することを防ぐために、筐体内部に分離板を施工し、吸気と排気を分割している（例えば、特許文献１参照）。
【０００４】
図９、図１０は、特許文献１に記載された加熱調理器組み込み式家具を示すものであり、家具筐体１０１上部に設置された加熱調理器１０２と、家具筐体１０１内部に配された本体吸気口１０３および本体排気口１０４と、家具筐体１０１前板に配された吸気部１０５および排気部１０６と、家具筐体１０１内部に設置され、加熱調理器１０２の吸気と排気を分割する分離板１０７から構成されている。
【特許文献１】特開平５−２１１４８号公報
【発明の開示】
【発明が解決しようとする課題】
【０００５】
しかしながら、前記従来の構成では、加熱調理器１０２から排出される熱気により家具筐体１０１内部（特に、排気熱風にさらされる部分）が熱せられ、家具筐体１０１の収納部に収められた食品などが熱により変質する恐れがあるという課題を有していた。また、本体吸気口１０３を家具筐体１０１内部に配置するために、家具筐体１０１に分離板１０７の設置加工を施す際にも、確実に吸排気を分割するために加熱調理器１０２の外形に密着するように設置なくてはならないため、加熱調理器１０２を別なものに交換することが困難になるという課題を有していた。
【０００６】
本発明は、前記従来の課題を解決するもので、家具筐体内部に加熱調理器の排気口を配置しながら、加熱調理器と家具筐体内部の温度上昇を抑制するとともに加熱調理器の交換にも対応できる加熱調理器組み込み式家具を提供することを目的とする。
【課題を解決するための手段】
【０００７】
前記従来の課題を解決するために、本発明の加熱調理器組み込み式家具は、家具筐体と、家具筐体の天板の開口部に組み込んだ加熱調理器と、前記加熱調理器の下方に位置して家具筐体の内部空間を上下に分割する仕切り板と、加熱調理器側の家具筐体の内部空間に設けた送風機とを備え、前記家具筐体には冷却風を加熱調理器側の内部空間に取り入れる吸気部を設け、加熱調理器には冷却風を内部に取り入れる本体吸気口とこの冷却風を排出する本体排気口とを設け、加熱調理器の本体排気口から排出される冷却風を送風機により送風処理するようにしたものである。
【０００８】
これによって、加熱調理器の冷却風を家具筐体内部に排出する場合でも、加熱調理器と家具筐体内部を送風機による送風処理で冷却するとともに、仕切り板で仕切っていることで、加熱調理器と家具筐体内部の温度上昇を低減することができる。また、加熱調理器の形状に合わせた吸排気を分離する分離板などが不要であるため、加熱調理器を別なものに交換する際に、家具筐体の形状によって交換が困難になることを防ぐことができる。
【発明の効果】
【０００９】
本発明の加熱調理器組み込み式家具は、家具筐体内部に加熱調理器の排気口を配置しながら、加熱調理器と家具筐体内部の温度上昇を抑制するとともに加熱調理器の交換にも対応できる。
【発明を実施するための最良の形態】
【００１０】
第１の発明は、家具筐体と、家具筐体の天板の開口部に組み込んだ加熱調理器と、前記加熱調理器の下方に位置して家具筐体の内部空間を上下に分割する仕切り板と、加熱調理器側の家具筐体の内部空間に設けた送風機とを備え、前記家具筐体には冷却風を加熱調理器側の内部空間に取り入れる吸気部を設け、加熱調理器には冷却風を内部に取り入れる本体吸気口とこの冷却風を排出する本体排気口とを設け、加熱調理器の本体排気口から排出される冷却風を送風機により送風処理する加熱調理器組み込み式家具としたものである。これによって、加熱調理器の冷却風を家具筐体内部に排出する場合でも、加熱調理器と家具筐体内部を送風機による送風処理で冷却するとともに、仕切り板で仕切っていることで、家具筐体内部の温度上昇を低減することができる。また、加熱調理器の形状に合わせた吸排気を分離する分離板などが不要であるため、加熱調理器を別なものに交換する際に、家具筐体の形状によって交換が困難になることを防ぐことができる。
【００１１】
第２の発明は、特に、第１の発明において、仕切り板に送風機により冷却風が送風される通気口を設け、家具筐体は仕切り板より下方位置の前板に排気部を設け、通気口と排気部は排気経路により接続し、送風機により送風される冷却風を、排気経路を通して排気部から家具筐体の外部に排出することにより、加熱調理器から排出される熱気を排気部から家具筐体外部へ排出することができ、加熱調理器内部および家具筐体内部の温度上昇を低減することができる。
【００１２】
第３の発明は、特に、第１の発明において、家具筐体の内部後方壁面に排気部を設け、送風機により送風される冷却風を排気部より家具筐体の外部に排出することにより、加熱調理器から排出される熱気を家具筐体の内部後方の排気部から外部へ排出することができ、使用者が熱気を浴びて不快に感じる恐れがないとともに、加熱調理器内部および家具筐体内部の温度上昇を低減することができる。
【００１３】
第４の発明は、特に、第１の発明において、家具筐体の天板の後方面に排気部を設け、送風機により送風される冷却風を排気部より家具筐体の外部に排出することにより、加熱調理器から排出される熱気を家具筐体の天板後方の排気部から外部へ排出することができ、使用者が熱気を浴びて不快に感じる恐れがないとともに、加熱調理器内部および家具筐体内部の温度上昇を低減することができる。
【００１４】
第５の発明は、特に、第１〜第４のいずれか１つの発明において、送風機による送風に対し、加熱調理器の本体吸気口を上流側に本体排気口を下流側にそれぞれ配することにより、加熱調理器から排出される熱気が送風によって逆流し、本体吸気口から再度吸引されることを防止できるため、加熱調理器内部および家具筐体内部の温度上昇を効果的に低減することができる。
【００１５】
第６の発明は、特に、第１〜第５のいずれか１つの発明において、送風機は加熱調理器と電気的に接続され、加熱調理器に組み込まれた制御機構によって運転を制御することにより、加熱調理器の動作と同期して送風させることや、操作部を同一とすることができるため、使用者が意識せず送風機を動作させることが可能となるとともに、加熱調理器内部および家具筐体内部の温度上昇を低減することすることができる。
【００１６】
第７の発明は、特に、第１〜第５のいずれか１つの発明において、加熱調理器の上方に換気装置を備え、送風機は換気装置と電気的に接続され、換気装置に組み込まれた制御機構によって運転を制御することにより、換気装置の動作と同期して送風させることや、操作部を同一とすることができるため、使用者が意識せず送風機を動作させることが可能となるとともに、加熱調理器内部および家具筐体内部の温度上昇を低減することすることができる。
【００１７】
以下、本発明の実施の形態について、図面を参照しながら説明する。なお、この実施の形態によって本発明が限定されるものではない。
【００１８】
（実施の形態１）
図１、図２は、本発明の実施の形態１における加熱調理器組み込み式家具を示すものである。
【００１９】
図に示すように、キッチンカウンターなどの家具筐体１は、天板１ａに開口部２を設けており、加熱調理器３が開口部２を通して天板１ａに組み込まれている。家具筐体１内部には、加熱調理器３の下方に位置して家具筐体１の内部空間を上下に分割する仕切り板４を配している。加熱調理器３側の家具筐体１の内部空間における仕切り板４上には送風機５を設置している。家具筐体１の前板には冷却風を加熱調理器３側の内部空間に取り入れる吸気部６を設けている。
【００２０】
ここで、加熱調理器３としては誘導加熱調理器を例示する。加熱調理器３は、本体内部に加熱コイル７および駆動装置８を有し、それらを冷却するために冷却ファン９を有している。加熱調理器３には冷却風を内部に取り入れる本体吸気口１０とこの冷却風を排出する本体排気口１１とを設けている。
【００２１】
そして、加熱調理器３の本体排気口１１から排出される冷却風を送風機５により送風処理するようにしている。送風機５により送風処理は、本実施の形態では、加熱調理器３と仕切り板４の間の空間に送風するようにしているが、家具筐体１外に直接排出するものであってもよい。
【００２２】
以上のように構成された加熱調理器組み込み式家具について、以下その動作、作用を説明する。
【００２３】
まず、加熱調理器３を動作させると、加熱調理器３の本体内部の加熱コイル７や駆動装置８が発熱するため、冷却ファン９によって適切な冷却風を送り冷却する。その冷却風は熱を持ち、本体排気口１１を通じ家具筐体１内部に排出される。このとき、家具筐体１内部に配した送風機５を動作させ、加熱調理器３と仕切り板４の間の空間に送風し、加熱調理器３からの排気を拡散させ、加熱調理器３および家具筐体１内部の温度上昇を低減させる。その後、排気は家具筐体１の隙間などから外部に排出される。
【００２４】
以上のように、本実施の形態においては、加熱調理器３の冷却風を家具筐体１内部に排出する場合でも、加熱調理器３と家具筐体１内部を送風機５による送風処理で冷却するとともに、仕切り板４で仕切っていることで、加熱調理器３と家具筐体１内部の温度上昇を低減することができ、家具筐体１の収納部に収められた食品などが熱により変質する恐れはない。また、加熱調理器３の形状に合わせた吸排気を分離する分離板などが不要であるため、加熱調理器３を別なものに交換する際に、家具筐体１の形状によって交換が困難になることを防ぐことができる。
【００２５】
（実施の形態２）
図３は、本発明の実施の形態２における加熱調理器組み込み式家具を示すものである。実施の形態１と同一要素には同一符号を付してその説明を省略し、相違点を中心に説明する。
【００２６】
図に示すように、本実施の形態においては、仕切り板４に送風機５により冷却風が送風される通気口２１を設け、家具筐体１は仕切り板４より下方位置の前板１ｂに排気部２２を設け、通気口２１と排気部２２は排気経路２３により接続し、送風機５により送風される冷却風を、排気経路２３を通して排気部２２から家具筐体１の外部に排出するようにしている。
【００２７】
これにより、本実施の形態においては、加熱調理器３から排出される熱気を排気部２２から家具筐体１外部へ排出することができ、加熱調理器３内部および家具筐体１内部の温度上昇を低減することができる。
【００２８】
また、家具筐体１の吸気口６からは外気を取り入れるのみとなるため、加熱調理器３の本体吸気口１０に外気温度のまま冷却風が到達することで、加熱調理器３内部の冷却効果が増し、温度上昇を低減することができる。
【００２９】
また、排気部２２を使用者の足元や、調理時の立ち位置とずらした位置に配することで、使用者が排気の熱気を浴びることで不快に感じることを防ぐことができる。
【００３０】
また、排気経路２３に収納庫を配置することで、収納庫に濡れた食器類を収めた場合、食器類を乾燥させることができる。
【００３１】
（実施の形態３）
図４は、本発明の実施の形態３における加熱調理器組み込み式家具を示すものである。実施の形態１と同一要素には同一符号を付してその説明を省略し、相違点を中心に説明する。
【００３２】
図に示すように、本実施の形態においては、家具筐体１の内部後方壁面１ｃに排気部３１を設け、送風機５により送風される冷却風を排気部３１より家具筐体１の外部に排出するようにしている。
【００３３】
これにより、本実施の形態においては、加熱調理器３から排出される熱気を家具筐体１の内部後方の排気部３１から外部へ排出することができ、使用者が熱気を浴びて不快に感じる恐れがないとともに、加熱調理器３内部および家具筐体１内部の温度上昇を低減することができる。
【００３４】
（実施の形態４）
図５は、本発明の実施の形態４における加熱調理器組み込み式家具を示すものである。実施の形態１と同一要素には同一符号を付してその説明を省略し、相違点を中心に説明する。
【００３５】
図に示すように、本実施の形態においては、家具筐体１の天板１ａの後方面に排気部４１を設け、送風機５により送風される冷却風を排気部４１より家具筐体１の外部に排出するようにしている。排気部４１には天板１ａからの立ち上がり部１ｄを設けて排出を案内している。
【００３６】
これにより、本実施の形態においては、加熱調理器３から排出される熱気を家具筐体１の天板１ａ後方の排気部４１から外部へ排出することができ、使用者が熱気を浴びて不快に感じる恐れがないとともに、加熱調理器３内部および家具筐体１内部の温度上昇を低減することができる。
【００３７】
また、立ち上がり部１ｄを設けたことにより、排気部４１から上方に排出され、熱気がそのまま上方に昇り、換気装置によって室内より排出されるため、家具筐体１の調理空間の温度上昇を低減することができる。
【００３８】
また、排気部４１の開口面積を狭めることで、排気風の勢いが増し、エアカーテンとしての機能を果たすこととなり、調理によって拡散する油煙などを換気装置に向かって誘導する効果を有し、家具筐体１の壁面汚染を防止することができる。
【００３９】
（実施の形態５）
図６は、本発明の実施の形態５における加熱調理器組み込み式家具を示すものである。実施の形態１と同一要素には同一符号を付してその説明を省略し、相違点を中心に説明する。
【００４０】
図に示すように、本実施の形態においては、送風機５による送風に対し、加熱調理器３の本体吸気口１０を上流側に本体排気口１１を下流側にそれぞれ配する構成としている。
【００４１】
これにより、本実施の形態においては、加熱調理器３から排出される熱気が送風によって逆流し、本体吸気口１０から再度吸引されることを防止できるため、加熱調理器３内部および家具筐体１内部の温度上昇を効果的に低減することができる。
【００４２】
（実施の形態６）
図７は、本発明の実施の形態６における加熱調理器組み込み式家具を示すものである。実施の形態１と同一要素には同一符号を付してその説明を省略し、相違点を中心に説明する。
【００４３】
図に示すように、本実施の形態においては、送風機５は加熱調理器３とリード線６１によって電気的に接続され、加熱調理器３に組み込まれた制御機構によって運転を制御するように構成されている。なお、送風機５と加熱調理器３の接続手段をリード線６１による接続としたが、無線通信による接続であっても構わない。
【００４４】
これにより、本実施の形態においては、加熱調理器３の動作と同期して送風させることや、操作部を同一とすることができるため、使用者が意識せず送風機５を動作させることが可能となるとともに、加熱調理器３内部および家具筐体１内部の温度上昇を低減することすることができる。
【００４５】
また、送風機５の動作を加熱調理器３側で監視することで、送風機５の異常状態を検知でき、加熱調理器３の表示部を利用し、異常を使用者に知らせることができる。あわせて、送風機５の異常時には加熱調理器３の運転を規制することで、加熱調理器３内部および家具筐体１内部の温度上昇を防止することができる。
【００４６】
（実施の形態７）
図８は、本発明の実施の形態７における加熱調理器組み込み式家具を示すものである。実施の形態１と同一要素には同一符号を付してその説明を省略し、相違点を中心に説明する。
【００４７】
図に示すように、本実施の形態においては、加熱調理器３の上方に換気装置７１を備え、送風機５は換気装置７１とリード線７２によって電気的に接続され、換気装置７１に組み込まれた制御機構によって運転を制御するように構成されている。なお、送風機５と換気装置７１の接続手段をリード線７２による接続としたが、無線通信による接続であっても構わない。
【００４８】
これにより、本実施の形態においては、換気装置７１の動作と同期して送風させることや、操作部を同一とすることができるため、使用者が意識せず送風機５を動作させることが可能となるとともに、加熱調理器３内部および家具筐体１内部の温度上昇を低減することすることができる。
【００４９】
また、送風機５の動作を換気装置７１側で監視することで、送風機５の異常状態を検知でき、換気装置７１の表示部を利用し、異常を使用者に知らせることができる。
【産業上の利用可能性】
【００５０】
以上のように、本発明にかかる加熱調理器組み込み式家具は、家具筐体内部に加熱調理器の排気口を配置しながら、加熱調理器と家具筐体内部の温度上昇を抑制するとともに加熱調理器の交換にも対応できるので、キッチンウンター（キャビネット）に関わらず、客席用加熱調理器組み込み式テーブルなどの用途にも適用できる。
【図面の簡単な説明】
【００５１】
【図１】本発明の実施の形態１における加熱調理器組み込み式家具の要部断面図
【図２】同加熱調理器組み込み式家具の要部断面図
【図３】本発明の実施の形態２における加熱調理器組み込み式家具の要部断面図
【図４】本発明の実施の形態３における加熱調理器組み込み式家具の要部断面図
【図５】本発明の実施の形態４における加熱調理器組み込み式家具の要部断面図
【図６】本発明の実施の形態５における加熱調理器組み込み式家具の要部断面図
【図７】本発明の実施の形態６における加熱調理器組み込み式家具の要部断面図
【図８】本発明の実施の形態７における加熱調理器組み込み式家具の要部断面図
【図９】従来の加熱調理器組み込み式家具の要部斜視図
【図１０】同加熱調理器組み込み式家具の内部構成の平断面図
【符号の説明】
【００５２】
１  家具筐体
１ａ  天板
１ｂ  前板
１ｃ  内部後方壁面
１ｄ  立ち上がり部
２  開口部
３  加熱調理器
４  仕切り板
５  送風機
６  吸気部
１０  本体吸気口
１１  本体排気口
２１  通気口
２２、３１、４１  排気部
２３  排気経路
６１、７２  リード線
７１  換気装置
【図１】
2009050351.tif 000003
【図２】
2009050351.tif 000004
【図３】
2009050351.tif 000005
【図４】
2009050351.tif 000006
【図５】
2009050351.tif 000007
【図６】
2009050351.tif 000008
【図７】
2009050351.tif 000009
【図８】
2009050351.tif 000010
【図９】
2009050351.tif 000011
【図１０】
2009050351.tif 000012